(57)【要約】  折り畳み自在の鋸刃体をその使用位置において掛け金して固定する掛け金機構を、従来と異なる考え方で、最少の部品点数で且つ非常に簡単に製造、組み立てができ、しかも良好な掛け金作用を発揮することができる折り畳み式鋸の提供を課題とする。  巻回部１１、止めピン部１２、掛け金部１３、操作部１５を備えるバネ線で構成される掛け金体１０を鋸柄体２０に備えると共に、鋸柄体２０は着座凹所２３、ピン孔２４、受入溝２２を少なくとも備え、掛け金体１０は、鋸柄体２０に取り付けられた状態で、巻回部１１の前方にある掛け金部１３がバネ付勢によって受入溝２２内へ侵入するように構成されると共に巻回部１１の後方にある操作部１５の操作によって掛け金部１３をバネ付勢に抗して後退するように構成している折り畳み式鋸１である。
2019016860.tif 000002
【特許請求の範囲】
【請求項１】
鋸柄体と、該鋸柄体に対して折り畳み収納自在に回動枢支されると共に使用位置において掛け金されて係止される鋸刃体と、前記鋸柄体に取り付けられて前記鋸刃体を掛け金して係止させる掛け金体とを少なくとも備えた折り畳み式鋸であって、前記掛け金体は、１本のバネ線からなり、コイル状に巻回された巻回部と、該巻回部をピン止めするために巻回部から延出されて構成される止めピン部と、前記巻回部から前方に延出されて巻回部の前方に構成される掛け金部と、該掛け金部から後方へ延出されて巻回部の後方に構成される操作部とを少なくとも備え、前記鋸刃体は、前記掛け金体によって掛け金される掛け溝を少なくとも備え、前記鋸柄体は、前記掛け金体の巻回部を着座させる着座凹所と、前記掛け金体の止めピン部を差し入れて係止させるピン孔と、前記掛け金体の掛け金部と前記鋸刃体の掛け溝とを受け入れる受入溝とを少なくとも備え、且つ前記掛け金体は、前記鋸柄体に取り付けられた状態において、前記掛け金部がバネ付勢によって前記鋸柄体の受入溝内へ侵入するように構成されると共に前記操作部の操作によって前記掛け金部がバネ付勢に抗して後退するように構成されていることを特徴する折り畳み式鋸。
【請求項２】
掛け金体の巻回部は、その軸心が鋸柄体の表裏面に直交する状態にして前記鋸柄体の着座凹所に配置され、前記掛け金体の止めピン部は、前記巻回部の一端から延出されて構成され、前記掛け金体の掛け金部は、前記巻回部の他端から前方に延出されて巻回部の前方に構成され、前記操作部は、前記掛け金部から引き続いて後方へ延出されて巻回部の後方に構成され、且つ前方に延出される前記掛け金部と後方に延出される前記操作部とは、前記巻回部の頂部付近を軸方向に横切る支線部を支点として相互に上下するように構成していることを特徴とする請求項１に記載の折り畳み式鋸。
【請求項３】
掛け金体の操作部は、鋸柄体の上面から浮上した位置にあって、該操作部を押し下げることによって、前記掛け金体の支線部を支点として掛け金部を上昇させるように構成していることを特徴とする請求項２に記載の折り畳み式鋸。
【請求項４】
鋸柄体の着座凹所に着座された掛け金体の巻回部は、前記鋸柄体のピン孔に係止された止めピン部と、前記鋸柄体の受入溝の内へバネ付勢された掛け金部とによって、移動可能距離が制限されて着座凹所内に保持される構成としていることを特徴とする請求項１〜３の何れか１項に記載の折り畳み式鋸。
【請求項５】
掛け金体の止めピン部を係止する鋸柄体のピン孔は、着座凹所の底の位置よりも低い位置に設けて、前記掛け金体の巻回部が着座凹所から上方へ抜け出るのを妨げる構成としていることを特徴とする請求項１〜４の何れか１項に記載の折り畳み式鋸。
【請求項６】
鋸柄体の受入溝内へ侵入状態にバネ付勢されて保持される掛け金体の掛け金部は、巻回部が前記鋸柄体の着座凹所から抜け出る方向に移動しようとすると、鋸柄体の受入溝の内壁に当接して、移動を妨げる構成としていることを特徴とする請求項１〜５の何れか１項に記載の折り畳み式鋸。
【請求項７】
鋸柄体の着座凹所は、その解放端の径を少し狭くしていることを特徴とする請求項１〜６の何れか１項に記載の折り畳み式鋸。
【発明の詳細な説明】
【技術分野】
【０００１】
本発明は、鋸刃体を折り畳み収納可能な折り畳み式鋸に関する。
【背景技術】
【０００２】
近年、使用時及び使用後の利便性から、鋸刃体を折り畳み収納可能な折り畳み式鋸が利用されている。
このような従来の折り畳み式鋸は、鋸柄体に設ける背金体に締付けボルトとナットを介して鋸刃体を折り畳み自在に枢支してあるものが一般的である。また背金体に、鋸刃体に備える掛け溝に掛け金可能な掛け金体を備え、バネ部材を介して掛け金体を掛け溝へ侵入状態にバネ付勢させてあるものが一般的である。
このような従来の折り畳み式鋸を示す従来技術として、下記特許文献１がある。
【先行技術文献】
【特許文献】
【０００３】
【特許文献１】特開２００８−２０７２８９号公報
【発明の概要】
【発明が解決しようとする課題】
【０００４】
上記特許文献１は替刃式鋸に関する発明で、鋸柄体（１）と、鋸板体（３）と、背金体（２）と、ラチェット部（９）を備えている。ラチェット部（９）は背金体（２）に取り付けられ、ラチェット機構と共に、前記鋸板体（３）に掛け金して該鋸板体（３）をその使用位置に固定する掛け金機構の役割を基本的に行っている。
前記ラチェット部（９）は金属板を彼是と打ち抜き加工や切断加工、或いは折り曲げ加工をして、係合片（９ｇ）と操作片（９ｂ）とを形成する構造となされている。そして更に別部品の操作部（９ｆ）を別部品のバネ部材（９ｈ）と共に操作片（９ｂ）に取り付け、その操作片（９ｂ）を別部品のピン（９ｃ）で背金体（２）に枢支する構成とされている。
従って特許文献１に開示されるようなラチェット部（９）による掛け金機構は、複雑で多工程の加工を要すると共に多くの部品点数を要し、省コスト化を実現することができない、また組み立てが煩雑となって製造工程の効率化を実現することができない、という問題があった。【０００５】
そこで本発明は上記従来における問題点を解決し、折り畳み自在の鋸刃体をその使用位置において掛け金して固定する掛け金機構を、従来とは全く異なる考え方に基づいて、最少の部品点数で且つ非常に簡単に製造、組み立てができ、しかも良好な掛け金作用を発揮することができる折り畳み式鋸の提供を課題とする。
【課題を解決するための手段】
【０００６】
上記課題を達成するため、本発明の折り畳み式鋸は、鋸柄体と、該鋸柄体に対して折り畳み収納自在に回動枢支されると共に使用位置において掛け金されて係止される鋸刃体と、前記鋸柄体に取り付けられて前記鋸刃体を掛け金して係止させる掛け金体とを少なくとも備えた折り畳み式鋸であって、前記掛け金体は、１本のバネ線からなり、コイル状に巻回された巻回部と、該巻回部をピン止めするために巻回部から延出されて構成される止めピン部と、前記巻回部から前方に延出されて巻回部の前方に構成される掛け金部と、該掛け金部から後方へ延出されて巻回部の後方に構成される操作部とを少なくとも備え、前記鋸刃体は、前記掛け金体によって掛け金される掛け溝を少なくとも備え、前記鋸柄体は、前記掛け金体の巻回部を着座させる着座凹所と、前記掛け金体の止めピン部を差し入れて係止させるピン孔と、前記掛け金体の掛け金部と前記鋸刃体の掛け溝とを受け入れる受入溝とを少なくとも備え、且つ前記掛け金体は、前記鋸柄体に取り付けられた状態において、前記掛け金部がバネ付勢によって前記鋸柄体の受入溝内へ侵入するように構成されると共に前記操作部の操作によって前記掛け金部がバネ付勢に抗して後退するように構成されていることを第１の特徴としている。
また本発明の折り畳み式鋸は、上記第１の特徴に加えて、掛け金体の巻回部は、その軸心が鋸柄体の表裏面に直交する状態にして前記鋸柄体の着座凹所に配置され、前記掛け金体の止めピン部は、前記巻回部の一端から延出されて構成され、前記掛け金体の掛け金部は、前記巻回部の他端から前方に延出されて巻回部の前方に構成され、前記操作部は、前記掛け金部から引き続いて後方へ延出されて巻回部の後方に構成され、且つ前方に延出される前記掛け金部と後方に延出される前記操作部とは、前記巻回部の頂部付近を軸方向に横切る支線部を支点として相互に上下するように構成していることを第２の特徴としている。
また本発明の折り畳み式鋸は、上記第２の特徴に加えて、掛け金体の操作部は、鋸柄体の上面から浮上した位置にあって、該操作部を押し下げることによって、前記掛け金体の支線部を支点として掛け金部を上昇させるように構成していることを第３の特徴としている。
また本発明の折り畳み式鋸は、上記第１〜第３の何れか１つの特徴に加えて、鋸柄体の着座凹所に着座された掛け金体の巻回部は、前記鋸柄体のピン孔に係止された止めピン部と、前記鋸柄体の受入溝の内へバネ付勢された掛け金部とによって、移動可能距離が制限されて着座凹所内に保持される構成としていることを第４の特徴としている。
また本発明の折り畳み式鋸は、上記第１〜第４の何れか１つの特徴に加えて、掛け金体の止めピン部を係止する鋸柄体のピン孔は、着座凹所の底の位置よりも低い位置に設けて、前記掛け金体の巻回部が着座凹所から上方へ抜け出るのを妨げる構成としていることを第５と特徴としている。
また本発明の折り畳み式鋸は、上記第１〜第５の何れか１つの特徴に加えて、鋸柄体の受入溝内へ侵入状態にバネ付勢されて保持される掛け金体の掛け金部は、巻回部が前記鋸柄体の着座凹所から抜け出る方向に移動しようとすると、鋸柄体の受入溝の内壁に当接して、移動を妨げる構成としていることを第６の特徴としている。
また本発明の折り畳み式鋸は、上記第１〜第６の何れか１つの特徴に加えて、鋸柄体の着座凹所は、その解放端の径を少し狭くしていることを第７の特徴としている。
【発明の効果】
【０００７】
上記第１の特徴による折り畳み式鋸によれば、掛け金体は１本のバネ線からなる。
掛け金体は、その止めピン部を鋸柄体のピン孔に差し入れて係止させると共に、巻回部を鋸柄体の着座凹所に着座させ、掛け金体の掛け金部を鋸柄体の受入溝内に侵入させることで、掛け金体の鋸柄体への取り付けがなされる。
鋸刃体が使用位置まで回動されると、鋸柄体の受入溝内で掛け金体の掛け金部によって掛け金されて係止される。一方、掛け金体の操作部が操作されることで掛け金部が後退され、掛け金が外れて鋸刃体の係止が解かれる。
掛け金体は、１本のバネ線を用いて、巻回部と止めピン部と掛け金部と操作部とを曲げ加工することにより得ることが可能であるので、複雑な加工や多工程を経ることなく作製することが可能である。
そして掛け金体は、巻回体を鋸柄体の着座凹所に着座させ、止めピン部を鋸柄体のピン孔に差し入れて係止させ、掛け金部を鋸柄体の受け溝にバネ付勢して侵入させることで、他の部品を何ら必要とすることなく、鋸柄体に取り付けることが可能である。
即ち、本発明の第１の特徴による折り畳み式鋸によれば、最少の部品点数で且つ非常に簡単に製作、組み立てができ、しかも良好な掛け金作用を発揮することができる折り畳み式鋸を提供することができる。【０００８】
また上記第２の特徴による折り畳み式鋸によれば、上記第１の特徴による作用効果に加えて、掛け金体の巻回部は、その軸心が鋸柄体の表裏面に直交する状態にして前記鋸柄体の着座凹所に配置される。そして掛け金体の止めピン部は、巻回部の一端から延出されて構成される。更に前記巻回部の他端から前方に延出される掛け金部と、そこから更に引き続いて延出され、巻回部の後方に延出される操作部とは、前記軸心が鋸柄体の表裏面に直交する巻回部の頂部付近を軸方向に横切る支線部を支点とし、その支線部を介して相互に上下するようにされている。
よって掛け金体は、巻回部の一端側に止めピン部を構成し、巻回部の他端側に掛け金部とそれに続いて操作部を構成することで、１本のバネ線から容易に曲げ成形することができる。
また掛け金体の操作部を操作することで、巻回部の頂部付近を横切る支線部を支点として、掛け金部をバネ付勢に抗して回動させることができる。【０００９】
また上記第３の特徴による折り畳み式鋸によれば、上記第２の特徴による作用効果に加えて、掛け金体の操作部は、鋸柄体の上面から浮上した位置にあって、該操作部を押し下げることによって、前記掛け金体の支線部を支点として掛け金部を上昇させるように構成していることから、操作部を押し下げるだけで掛け金部を容易に上昇させることができ、操作性の良い折り畳み式鋸とすることができる。【００１０】
また上記第４の特徴による折り畳み式鋸によれば、上記第１〜第３の何れか１つの特徴による作用効果に加えて、鋸柄体の着座凹所に着座された掛け金体の巻回部は、前記鋸柄体のピン孔に係止された止めピン部と、前記鋸柄体の受入溝の内へバネ付勢された掛け金部とによって、移動可能距離が制限されて着座凹所内に保持される構成としていることから、簡易な構成で巻回部が着座凹所から抜け出ることを効果的に防止することができる。【００１１】
また上記第５の特徴による折り畳み式鋸によれば、上記第１〜第４の何れか１つの特徴による作用効果に加えて、掛け金体の止めピン部を係止する鋸柄体のピン孔は、着座凹所の底の位置よりも低い位置に設けて、前記掛け金体の巻回部が着座凹所から上方へ抜け出るのを妨げる構成としていることから、簡易な構成で巻回部が着座凹所から上方へ抜け出ることを効果的に防止することができる。【００１２】
また上記第６の特徴による折り畳み式鋸によれば、上記第１〜第５の何れか１つの特徴による作用効果に加えて、鋸柄体の受入溝内へ侵入状態にバネ付勢されて保持される掛け金体の掛け金部は、巻回部が前記鋸柄体の着座凹所から抜け出る方向に移動しようとすると、鋸柄体の受入溝の内壁に当接して、移動を妨げる構成としていることから、巻回部が着座凹所から抜け出ることを効果的に防止することができる。【００１３】
また上記第７の特徴による折り畳み式鋸によれば、上記第１〜第６の何れか１つの特徴による作用効果に加えて、鋸柄体の着座凹所は、その解放端の径を少し狭くしていることから、簡易な構成で巻回部が着座凹所から上方へ抜け出ることを効果的に防止することができる。
【図面の簡単な説明】
【００１４】
【図１】本発明の実施形態に係る折り畳み式鋸を示す全体図で、鋸刃体を使用位置で係止した状態を示す図である。
【図２】本発明の実施形態に係る折り畳み式鋸を示す図で、（ａ）は鋸刃体を収納した状態を示す全体図、（ｂ）は（ａ）の要部を示す図である。
【図３】本発明の実施形態に係る折り畳み式鋸の要部を示す斜視図で、（ａ）は鋸刃体を収納した状態を示す図、（ｂ）は鋸刃体を使用位置で係止した状態を示す図である。
【図４】本発明の実施形態に係る折り畳み式鋸の要部を示す図で、（ａ）は分解斜視図、（ｂ）は掛け金体の平面図である。
【図５】本発明の実施形態に係る折り畳み式鋸の操作部を操作する際に力が負荷される状態を模式的に示す図で、（ａ）は折り畳み式鋸の要部の側面図、（ｂ）は掛け金体を後方から見た状態を示す図である。
【図６】本発明の実施形態に係る折り畳み式鋸の変形例を示す図で、（ａ）は変形例１の要部を示す図、（ｂ）は変形例２の要部を示す図である。
【発明を実施するための形態】
【００１５】
以下、各図面を参照して、本発明の実施形態に係る折り畳み式鋸を説明し、本発明の理解に供する。しかし、以下の説明は特許請求の範囲に記載の本発明を限定するものではない。
【００１６】
先ず図１〜図５を参照して、本発明の実施形態に係る折り畳み式鋸１は、締付けボルト４０とバネ座金５０とを介して、鋸刃体３０を鋸柄体２０に対して折り畳み自在に回動枢支してなる鋸である。この折り畳み式鋸１は、掛け金体１０と、鋸柄体２０と、鋸刃体３０とから構成される。
【００１７】
前記掛け金体１０は、折り畳み式鋸１の使用時においては鋸刃体３０を使用位置で固定し、折り畳み式鋸１の使用後においては鋸刃体３０の使用位置での固定を解除するための部材である。この掛け金体１０は、巻回部１１と、止めピン部１２と、掛け金部１３と、支線部１４と、操作部１５とからなる１本のバネ線（バネ部材）で構成される。
なお、バネ線としては、ピアノ線やその他、掛け金体１０としてバネ付勢を発揮できる線を用いることができる。
【００１８】
前記巻回部１１は、バネ線において、付勢力を発生させるための付勢力発生部となると共に、鋸柄体２０に掛け金体１０を取り付けた際の着座部となるものである。本実施形態においては、バネ線をコイル状に複数回巻回してなる円筒状の巻回部１１を用い、この巻回部１１の軸心Ｊ（図４（ｂ）参照）が鋸柄体２０の厚み方向（鋸柄体２０の表面２６と裏面２７とに直交する方向）に配置して着座させる構成としてある。
巻回部１１の軸心Ｊ方向の幅は、該巻回部１１が着座される部分における鋸柄体２０の厚みと略同じにしている。即ち、巻回部１１が着座される部分における鋸柄体２０の厚みを１０ｍｍとすると、巻回部１１の軸心Ｊ方向の幅も略１０ｍｍとしてある。前記バネ線として、直径２ｍｍのバネ線を用いた場合、略５回巻回して巻回部１１としている。
【００１９】
前記止めピン部１２は、掛け金体１０を鋸柄体２０に取り付けるための取付け部として役立つものである。本実施形態においては、図４に示すように、着座された巻回部１１において、その一端を構成するコイル端の底部からコイルの接線方向に連続して鋸柄体２０の長手方向前方に延出するピンアーム１２ａと、該ピンアーム１２ａの先端を鋸柄体２０の表裏面に直交する方向に屈曲させてなるピン軸１２ｂとで、止めピン部１２を形成する構成としてある。
止めピン部１２のピン軸１２ｂが鋸柄体２０に設ける後述のピン孔２４に差し入れて係止される。
【００２０】
前記掛け金部１３は、バネ部材の付勢力を介して鋸刃体３０に設ける後述の掛け溝３４内へ侵入状態にバネ付勢されて保持されると共に、該掛け溝３４と係合し、鋸刃体３０をその使用位置で不動状態に固定するためのものである。本実施形態においては、この掛け金部１３は、略Ｕ字状のバネ線で形成されている。
より具体的には、この掛け金部１３は、バネ線を巻回部１１の他端を構成するからコイル端の頂部１１ａからコイルの接線方向に連続して鋸柄体２０の長手方向の前方に向かって延出させてなる第１の側腕１３ａと、第１の側腕１３ａから連続して鋸柄体１０の表裏面と直交する方向に屈曲させて延出させてなるヘッド１３ｂと、該ヘッド１３ｂから連続して鋸柄体２０の長手方向の後方に略９０度に屈曲させて巻回部１１まで延出させてなる第２の側腕１３ｃとで構成される。
前記第１の側腕１３ａと第２の側腕１３ｃとの間隙は、鋸柄体２０の対応する位置における厚みよりも少し広くなるようにして、両側腕１３ａ、１３ｃが鋸柄体２０に接触しないようにすると共に、ヘッド１３ｂが鋸柄体２０の掛け溝３４を横断して確実に引っ掛かるようにしている。
なお、ここで「前方、後方」とは、鋸刃体３０を回動自在に枢支する鋸柄体２０の前端方向を前方とし、鋸刃体３０が取り付けられていない鋸柄体２０の末端方向を後方とするものである。
【００２１】
前記支線部１４は、巻回部１１の前方に構成される掛け金部１３と、巻回部１１の後方に構成される操作部１５とを連結すると共に、操作部１５を操作する際の支点を構成するものである。
本実施形態においては、図２〜図４に示すように、バネ線を掛け金部１３の第２の側腕１３ｃから連続して鋸柄体２０の厚み方向内側に略９０度に屈曲させて、巻回部１１の軸心Ｊ方向の一端側から他端側まで延出させることで支線部１４を形成する構成としてある。また図２（ｂ）、図４に示すように、巻回部１１の頂部１１ａ付近を軸方向に横切る位置に支線部１４を配置する構成としてある。より具体的には、支線部１４の延出方向が、図４（ｂ）に二点鎖線で示す巻回部１１の軸心Ｊと平行となるような構成としてある。このような構成とすることで、支線部１４を支点として、掛け金部１３と操作部１５とを相互に上下させることができる。
なお、ここで「頂部１１ａ付近」とは、頂部１１ａに必ずしも常に接している必要はないが、少なくとも操作部１５を下方に押し下げることで、支線部１４が巻回体１１の頂部１１ａ、若しくは頂部１１ａ近傍で巻回部１１に当接し、支点の役割を果たすことができる位置を言うものとする。
【００２２】
前記操作部１５は、鋸刃体３０を使用状態から解除する際に操作するための操作片を構成するものである。本実施形態においては、図４（ｂ）に示すように、この操作部１５は、支線部１４を挟んで、掛け金部１３とは鋸柄体２０の長手方向の反対側に配置される略コの字状のバネ線で形成される。
具体的には、この操作部１５は、バネ線を支線部１４から連続して掛け金部１３とは鋸柄体２０の長手方向の反対側（後方側）に向かって延出させてなる第１側辺１５ａと、第１側辺１５ａから連続して鋸柄体２０の厚み方向内側に略９０度に屈曲させて延出させてなる末端辺１５ｂと、末端辺１５ｂから連続して鋸柄体２０の長手方向の前方に屈曲させて巻回部１１まで延出させてなる第２側辺１５ｃとで構成される。
【００２３】
また本実施形態においては、図２、図３に示すように、操作部１５は、通常時において鋸柄体２０の長手方向の後方に向けて斜め上方に傾斜した状態に配置される構成としている。そして作業者が押し下げ操作をし易いように、操作部１５の後部を、鋸柄体２０の上面２５と略平行となるように、少し曲げてある。
この様にして、操作部１５は、鋸柄体２０の上面２５から浮上した位置にあって、操作部１５を押し下げることによって、支線部１４を支点として掛け金部１３を上昇させる構成としてある。
なお、操作部１５の後部を鋸柄体２０の上面２５と略平行となるように曲げて形成しているが、該操作部１５をそのように構成することで、該操作部１５を作業者の腰ベルトに容易に引っ掛けることができる。よって作業者が不使用時に折り畳み式鋸を携帯するのにも非常に便利である。
【００２４】
また図４（ｂ）に平面視で示すように、掛け金体１０は、掛け金部１３と、支線部１４と、操作部１５とによって、巻回部１１を中心として、巻回部１１の頂部１１ａから前方に延出する掛け金部１３と後方に延出する操作部１５とが支線部１４を境に略八の字形状になるように形成されている。
なお、このような掛け金体１０は、１本のバネ線を用いて、一筆書きを描くように、バネ線の一端から他端へと曲げ加工を順次施していくことによって形成することができる。
【００２５】
図３や図４（ａ）も参照して、前記鋸柄体２０は、折り畳み式鋸１の把持部となると共に、締付けボルト４０とバネ座金５０とを介して鋸刃体３０を折り畳み自在に回動枢支するためのものである。
本実施形態においては、鋸柄体２０は、金属板を用いて、これを上面２５を境にして逆Ｕ字状に折り曲げて、一対の折り曲げ片２０ａ、２０ｂとし、この一対の折り曲げ片２０ａ、２０ｂの隙間Ｓに鋸刃体３０を折り畳み収納するようにしている。
鋸柄体２０の前部は、前記上面２５を切り欠いた状態として、前記一対の折り曲げ片２０ａ、２０ｂの隙間Ｓが露出するように構成し、鋸刃体３０の基部付近の回動に支障がないようにしている。
前記対向する折り曲げ片２０ａ、２０ｂには、それぞれ対向する位置に円形状の凹所２１、２１を形成して、前記隙間Ｓの寸法を前記鋸刃体３０の厚みに近い寸法まで縮小し、鋸刃体３０を回動自在に枢支したときに、鋸刃体３０がガタつかないようにしている。
鋸刃体３０の貫通孔３３を前記一対の凹所２１、２１に設けた貫通孔２１ａ、２１ａ間に入れて合わせ、バネ座金５０を介して、締付けボルト４０をその軸部４０ｂで貫通させ、図示しない裏側の貫通孔２１ａに設けた雌ネジ部に螺合させることで、鋸刃体３０の取り付けを行う。
なお、前記締付けボルト４０は、バネ座金５０と協働して鋸柄体２０に鋸刃体３０を挟圧固定、又は離反解除するためのものである。この締付けボルト４０は、折り曲げ片２０ｂの外面に対向する座面４０ｃを備える頭部４０ａとネジ軸部４０ｂとから構成される。
前記バネ座金５０は、主として、振動などにより締付けボルト４０が緩むことを防止するためのものである。
【００２６】
鋸柄体２０には受入溝２２を設けている。この受入溝２２は鋸刃体３０の基部の上辺に設けられる掛け溝３４を受け入れるための溝であり、また前記掛け金体１０の掛け金部１３のヘッド１３ｂを掛け金するための溝である。
前記受入溝２２は、鋸柄体２０の前部の上面２５に配置構成され、この受入溝２２よりも前には前記上面２５が切り欠かれた状態とされて、前記隙間Ｓが露出した状態とされている。これにより鋸刃体３０の基部付近の回動移動が支障なく行われ、鋸刃体３０の掛け溝３４が前記受入溝２２に支障なく受け入れられるようにしている。
【００２７】
一方、鋸柄体２０には前記受入溝２０の後方に着座凹所２３を設けている。この着座凹所２３は、前記掛け金体１０の巻回部１１を着座させるための凹所である。
更に受入溝２２と着座凹所２３との中間位置で、且つ受入溝２２の底及び着座凹所２３の底よりも低い位置にピン孔２４を貫通して設けている。このピン孔２４は、前記掛け金体１０の止めピン部１２の先端のピン軸１２ｂを差し入れて係止させるための孔である。
【００２８】
上記したように、鋸柄体２０の着座凹所２３には、掛け金体１０の巻回部１１が着座される。着座は巻回部１１の軸心Ｊが鋸柄体２０の表面２６及び裏面２７に直交する方向になされる。
着座凹所２３の底部の形状は、巻回部１１の下半部の形状を丁度受け入れることができるように、巻回部１１の下半部と相似乃至同じ形状とすることができる。着座凹所２３の全体としての形状は、Ｕ字形状乃至略Ｕ字形状とすることができる。
また着座凹所２３の深さは、巻回部１１の巻回直径程度とすることができる。しかし好ましくは、着座した状態において、巻回部１１の頂部１１ａが着座凹所２３から少し突出する程度の深さとするのがよい。この場合において、巻回部１１の頂部１１ａが着座凹所２３から突出する寸法としては、掛け金体１０を構成するバネ線の直径分相当寸法以上とし、２直径相当分以下とする。
巻回部１１の頂部１１ａが着座凹所２３から少し突出するようにする理由は、巻回部１１の頂部１１ａからコイルの接線方向に延出される掛け金部１３が、鋸柄体２０に対して容易に接触するのを防ぐと共に、前記操作部１５の押し下げ可能範囲を確保すること、並びに操作部１５が押し下げられた際に前記掛け金部１３が鋸刃体３０の掛け溝３４から確実に外れるように、その上昇可能範囲を確保するためである。
【００２９】
更に本実施形態においては、鋸柄体２０の着座凹所２３に着座された掛け金体１０の巻回部１１が、ピン孔２４に係止された止めピン部１２と、鋸柄体２０の受入溝２２内へバネ付勢された掛け金部１３とによって、移動可能距離が制限されて着座凹所２３内に保持される構成としている。
具体的には、掛け金体１０の止めピン部１２のピンアーム１２ａの長さを、鋸柄体２０のピン孔２４から着座凹所２３の上縁（近距離側）までの距離よりも短く構成することで、巻回部１１がピン孔２４を回転軸として着座凹所２３から上方に抜け出ようとしても、抜け出ることができないようにしている。加えて、掛け金部１３の第１、第２の側腕１３ａ、１３ｃの長さを、受入溝２２内に侵入状態にあるヘッド１３ｂが、少し前方に移動されるだけで受入溝２２の内壁２２ａ（図２（ｂ）参照）に当接して閊えるような長さに構成し、これによって巻回部１１がピン孔２４を回転軸として着座凹所２３から上方に抜け出ようとしても、掛け金部１３が閊えて、抜け出ることができないようにしている。
また巻回部１１の鋸柄体２０の短手方向（厚み方向）への移動や脱落は、ピン孔２４に係止された止めピン部１２が鋸柄体２０の表面２６と当接することや、受入溝２２内へバネ付勢された掛け金部１３の第１、第２の側腕１３ａ、１３ｃが鋸柄体２０の表面２６若しくは裏面２７に当接することで、制限される構成としてある。
【００３０】
前記鋸刃体３０は金属製で、鋸身部３１の一方の辺縁に複数個の山形状の鋸刃部３２を備えている。また図４（ａ）に示すように、鋸刃体３０の基部には、締付けボルト４０を挿通するための貫通孔３３を設けてある。更に鋸刃体３０の基部の上辺には、掛け金体１０の掛け金部１３に係脱可能な掛け溝３４を設けてある。本実施形態では、掛け溝３４は２ヶ所に設けており、鋸刃体３０の使用位置での角度を２段階に調整できるようにしている。
【００３１】
図３、図４を参照して、鋸刃体３０の鋸柄体２０への固定は、鋸刃体３０の貫通孔３３が鋸柄体２０の貫通孔２１ａと重なるように鋸刃体３０を隙間Ｓに差し入れる。次に軸部４０ｂにバネ座金５０を挿通させた状態で、締付けボルト４０を鋸柄体２０に締付ける。これにより鋸柄体２０に鋸刃体３０が固定される。
【００３２】
掛け金体１０の鋸柄体２０への取り付けは、鋸柄体２０の側方から掛け金体１０の止めピン部１２のピン軸１２ｂを、鋸柄体２０のピン孔２４に差し込む。これと同時に、巻回部１１を鋸柄体２０の側方から着座凹所２３に差し入れて着座させる。この際、図２（ｂ）を参照して、止めピン部１２と掛け金部１３とが成す間隙距離が、二点鎖線で示す鋸柄体２０に掛け金体１０を取り付ける前（掛け金体１０がフリーな状態にあるとき）よりも、図２（ｂ）の実線で示す鋸柄体２０に掛け金体１０を取り付けた後の方が大きくなる（広がる）ように、掛け金体１０を鋸柄体２０に取り付ける。これによって掛け金部１３のヘッド１３ｂが受入溝２２内に侵入するようにバネ付勢される。前記ピン孔２４の配置は、そのようなバネ付勢が生じるように予め位置決めされる。
以上により、鋸柄体２０に掛け金体１０が取り付けられる。
【００３３】
そして、このような構成からなる折り畳み式鋸１を使用する際には、図３に簡略化して示すように、鋸刃体３０を折り畳み位置から使用位置へと回動させる。すると鋸刃体３０の基部の縁辺が、その回動につれて、鋸柄体２０の受入溝２２内にある掛け金体１０の掛け金部１３のヘッド１３ｂを、その付勢力に抗して押し上げていく。そして鋸刃体３０の掛け溝３４が鋸柄体２０の受入溝２２内に入ってくることで、前記掛け金部１３のヘッド１３ｂが前記掛け溝３４にも引っ掛かり、掛け金がなされる。これによって図１に示すように、被切断物を切断可能な位置に鋸刃体３０を固定することができる。
また図１のように掛け金がなされた状態から、更に操作部１５を指で押し下げると（図５参照）、バネ付勢に抗して支線部１４を支点として掛け金部１３が押し上がる。そして、その状態において鋸刃体３０を持ち上げ、鋸刃体３０の基部側の他の掛け溝３４と掛け金部１３とが係合する位置で操作部１５の押し込みを解除することで、鋸刃体３０の基部側の掛け溝３４と掛け金部１３とが係合して、鋸刃体３０の角度を変更することができる。
一方、鋸を折り畳む際には、操作部１５（末端辺１５ｂ）を指で押し下げることで、バネ付勢に抗して支線部１４を支点として掛け金部１３を押し上がる。これによって、掛け金部１３をバネ付勢に抗して掛け溝３４から外すことができる。即ち、掛け金部１３は受入溝２２からバネ付勢に抗して開放方向に後退される。そして、その状態で鋸刃体３０を折り畳み方向へ移動させることで、鋸刃体３０を鋸柄体２０に収納することができる。
【００３４】
このような構成からなる本実施形態に係る折り畳み式鋸１は、以下の効果を奏する。
巻回部１１と、止めピン部１２と、掛け金部１３と、支線部１４と、操作部１５とを備える掛け金体１０を１本のバネ線で形成する構成とすることで、鋸刃体３０を使用位置で固定する、いわゆる固定部材の部品点数を抑えることができ、省コスト化を実現することができると共に、製造効率が良い折り畳み式鋸とすることができる。
【００３５】
また止めピン部１２のピン軸１２ｂを鋸柄体２０の側方からピン孔２４に差し入れて係止させると共に、巻回部１１を鋸柄体２０の側方から着座凹所２３に着座させるだけで掛け金体１０を鋸柄体２０に取り付け可能とした構成にしてあるので、掛け金体１０を鋸柄体２０に取り付けるために別部材が必要となることがない。
別の言い方をすれば、掛け金体１０と、鋸柄体２０と、鋸刃体３０と、その他には締付けボルト４０と、バネ座金５０とだけで折り畳み式鋸１を形成することができる。従って折り畳み式鋸１全体の部品点数も抑えることができ、省コスト化を実現することができると共に、製造効率が良い折り畳み式鋸とすることができる。
【００３６】
また掛け金体１０の巻回部１１を、その軸心Ｊが鋸柄体２０の表裏面２６、２７に直交する状態にして鋸柄体２０の着座凹所２３に配置し、前方に延出される掛け金部１３と後方に延出される操作部１５とは、巻回部１１の頂部１１ａ付近を軸方向に横切る支線部１４を支点として相互に上下するように構成することで、支線部１４を支点として、掛け金部１３と操作部１５とを容易に上下させることができる。
更に支線部１４の延出方向が、図４（ｂ）に二点鎖線で示す巻回部１１の軸心Ｊと平行となるような構成とすることで、操作部１５を押し下げて掛け金部１３をバネ付勢に抗して受入溝２２から開放する際に、支線部１４に均一な力を負荷することができる。
具体的には、操作部１５を操作する際には、支線部１４が支点、末端辺１５ｂ付近が力点、掛け金部１３が作用点となり、図５（ａ）に示す矢印方向に力が負荷される。そして負荷された力は、巻回部１１と接しながら支点を構成する支線部１４に伝達される。よって図４（ｂ）、図５（ｂ）に示すように、軸心Ｊと平行な直線状とした支線部１４を介して、操作部１５から掛け金部１３に対して均一な負荷を効率よくかけることができ、操作性の良い折り畳み式鋸とすることができる。
【００３７】
また鋸柄体２０の着座凹所２３に着座された掛け金体１０の巻回部１１が、ピン孔２４に係止された止めピン部１２と、鋸柄体２０の受入溝２２内へバネ付勢された掛け金部１３とによって、移動可能距離が制限されて着座凹所２３内に保持される構成とすることで、簡易な構成で巻回部１１が着座凹所２３から抜け出ることを効果的に防止することができる。よって安全性の高い折り畳み式鋸とすることができる。
【００３８】
更に巻回部１１が着座凹所２３から抜け出る方向に移動しようとすると、鋸柄体２０の受入溝２２内へ侵入状態にバネ付勢されて保持される掛け金部１３が、鋸柄体２０の受入溝２２の内壁２２ａに当接して移動を妨げる構成とすることで、巻回部１１が着座凹所２３から抜け出ることを一段と効果的に防止することができる。従って一段と安全性の高い折り畳み式鋸とすることができる。
【００３９】
また掛け金体１０の止めピン部１２を係止する鋸柄体２０のピン孔２４を、着座凹所２３の底及び受入溝２２の底の位置よりも低い位置に設ける構成とすることで、簡易な構成で巻回部１１が着座凹所２３から上方へ抜け出ることを効果的に防止することができる。従って、一段と安全性の高い折り畳み式鋸とすることができる。
【００４０】
また操作部１５は、鋸柄体２０の上面２５から浮上した位置に設け、操作部１５を押し下げることによって、支線部１４を支点として掛け金部１３を上昇させるように構成してあることで、操作部１５を押し下げるだけで掛け金部１３を容易に上昇させることができ、操作性の良い折り畳み式鋸とすることができる。
【００４１】
更に操作部１５の構成として、操作部１５の後部を、鋸柄体２０の上面２５と略平行となるように、少し曲げてあるので、鋸柄体２０を片手で握った際にも、親指を載置させ易く、片手でも押し込み易くなる。よって一段と操作性の良い折り畳み式鋸とすることができる。
【００４２】
次に図６を参照して、本発明の実施形態に係る折り畳み式鋸１の変形例を説明する。
まず図６（ａ）を参照して、本発明の実施形態に係る折り畳み式鋸１の変形例１を説明する。
本変形例１は、既述した本発明の実施形態に係る折り畳み式鋸１に対して、掛け金体１０の止めピン部１２の巻回部１１からの延出方向と、鋸柄体２０のピン孔２４の形成位置との構成のみを異なる構成としたものである。その他の構成は、既述した本発明の実施形態に係る折り畳み式鋸１と同様である。よって既述した本発明の実施形態に係る折り畳み式鋸１と同一部材、同一機能を果たすものには同一番号を付し、詳細な説明は省略するものとする。
【００４３】
本変形例１に係る折り畳み式鋸２は、バネ線を巻回部１１の一端から連続して鋸柄体２０の長手方向の斜め後方に延出させてなる止めピン部１２を備える構成としてある。
更に止めピン部１２の構成として、受入溝２２及び着座凹所２３よりも後方で、且つ受入溝２２及び着座凹所２３よりも下方位置にピン孔２４を設ける構成としてある。
【００４４】
このような構成とすることで、着座凹所２３から巻回部１１が抜け出る方向、特に着座凹所２３よりも鋸柄体２０の前方方向に力が負荷された場合においても、ピン孔２４に差し入れて係止される止めピン部１２により、着座凹所２３から巻回部１１が抜け出ることを効果的に防止することができる。従って一段と安全性の高い折り畳み式鋸とすることができる。
【００４５】
次に図６（ｂ）を参照して、本発明の実施形態に係る折り畳み式鋸の変形例２を説明する。
本変形例２は、既述した本発明の実施形態に係る折り畳み式鋸１に対して、掛け金体１０の巻回部１１を受け入れる鋸柄体２０の着座凹所２３の構成のみを変形したものである。その他の構成は、既述した本発明の実施形態に係る折り畳み式鋸１と同様である。よって既述した折り畳み式鋸１と同一部材、同一機能を果たすものには同一番号を付し、詳細な説明は省略するものとする。
【００４６】
本変形例２に係る折り畳み式鋸３は、着座凹所２３の構成として、巻回部１１の高さＨ以上の深さＤを備えると共に、切り欠きの開放端部の径を少し狭くする構成としてある。より具体的には、切り欠きの開放端部に、鋸柄体２０の着座凹所２３の内側に膨出させてなる一対の内向き膨出片２３ａを備える構成としてある。
更に一対の内向き膨出片２３ａ間の距離Ｋが、巻回部１１の外径Ｇよりも小さくなるような構成としてある。
【００４７】
このような構成とすることで、着座凹所２３から巻回部１１が抜け出る方向に力が負荷された場合においても、一対の内向き膨出片２３ａによって着座凹所２３から巻回部１１が抜け出ることを確実に阻止することができる。従って一段と安全性の高い折り畳み式鋸とすることができる。
【００４８】
なお、受入溝２２と、着座凹所２３と、ピン孔２４の形状、大きさ、形成位置や、掛け金体１０における止めピン部１２の延出方向は、既述した本発明の実施形態に係る構成に限るものではなく、適宜変更可能である。しかしながら、鋸柄体２０に掛け金体１０を取り付けた状態において、掛け金部１３が受入溝２２内へ侵入状態にバネ付勢されて保持される構成となる事が必要である。
【００４９】
また掛け金部１３、操作部１５の形状、大きさも既述した本実施形態のものに限るものではなく、適宜変更可能である。
【産業上の利用可能性】
【００５０】
本発明によれば、折り畳み式鋸において、部品点数を抑えることができることで、省コスト化と製造工程の効率化とを実現することができることから、折り畳み式鋸の分野における産業上の利用性が高い。
【符号の説明】
【００５１】
１            折り畳み式鋸
２            折り畳み式鋸
３            折り畳み式鋸
１０          掛け金体
１１          巻回部
１１ａ        頂部
１２          止めピン部
１２ａ        ピンアーム
１２ｂ        ピン軸
１３          掛け金部
１３ａ        第１の側腕
１３ｂ        ヘッド
１３ｃ        第２の側腕
１４          支線部
１５          操作部
１５ａ        第１の側辺
１５ｂ        末端辺
１５ｃ        第２の側辺
２０          鋸柄体
２０ａ        折り曲げ片
２０ｂ        折り曲げ片
２１          凹所
２１ａ        貫通孔
２２          受入溝
２２ａ        内壁
２３          着座凹所
２３ａ        内向き膨出片
２４          ピン孔
２４ａ        内壁
２５          上面
２６          表面
２７          裏面
３０          鋸刃体
３１          鋸身部
３２          鋸刃部
３３          貫通孔
３４          掛け溝
４０          締付けボルト
４０ａ        頭部
４０ｂ        軸部
４０ｃ        座面
５０          バネ座金
Ｄ            深さ
Ｇ            外径
Ｈ            高さ
Ｊ            軸心
Ｋ            距離
Ｓ            隙間
【図１】
2019016860.tif 000003
【図２】
2019016860.tif 000004
【図３】
2019016860.tif 000005
【図４】
2019016860.tif 000006
【図５】
2019016860.tif 000007
【図６】
2019016860.tif 000008
【国際調査報告】
2019016860.tif 000009
2019016860.tif 000010
2019016860.tif 000011
2019016860.tif 000012